(57)【要約】【課題】  ダイレクトメールや各種引き落としの明細書等には、住所や名前やカード番号など他人に知られたくないプライバシーに関する情報が印刷されている。今までダイレクトメール等を廃棄する際は、シュレッダー等で裁断する、或いは、プライバシー情報箇所を手で不規則に破く必要があった。そこで、隠したいプライバシー情報箇所を容易かつ確実に消去隠蔽できる手段が要望されている。【解決手段】  前記課題を解決する為に、少なくとも黒色着色剤、グリコール系溶剤、リモネンを配合させてなる油性インキを提供する。【特許請求の範囲】
【請求項１】
少なくとも黒色着色剤、グリコール系溶剤、リモネンを配合させてなる油性インキ。
【発明の詳細な説明】
【技術分野】
【０００１】
本発明は、ダイレクトメール等の印刷物に印刷されている住所や名前等の印刷文字を判読不可能にするための油性インキに関するものである。
【背景技術】
【０００２】
ダイレクトメールや各種引き落としの明細書等には、住所や名前やカード番号など他人に知られたくないプライバシーに関する情報が印刷されている。
今までダイレクトメール等を廃棄する際は、シュレッダー等で裁断する、或いは、プライバシー情報箇所を手で不規則に破く必要があった。
【０００３】
【特許文献１】特開平４−２３６２７５号公報
【特許文献２】特開平５−０３２９２５号公報
【発明の開示】
【発明が解決しようとする課題】
【０００４】
そこで、隠したいプライバシー情報箇所を容易かつ確実に消去隠蔽できる手段が要望されており、本出願人はスタンパーやマーカーといった身近な手段に内蔵させた特定のインキによって当該課題を解決せんとするものである。
なお、本発明のようにリモネンを配合したインキは、特開平４−２３６２７５号、特開平５−０３２９２５号等が提案されているが、これらは樹脂を配合しているので本発明のような作用効果が得られなかった。
【課題を解決するための手段】
【０００５】
前記課題を解決する為に、少なくとも黒色着色剤、グリコール系溶剤、リモネンを配合させてなる油性インキを提供する。
【発明の効果】
【０００６】
本発明インキを内蔵したスタンパーやマーカーを用いて、ダイレクトメールや各種引き落としの明細書等のプライバシー情報箇所に塗布すると、顔料や染料からなる印刷文字を固定している樹脂が溶解し、印刷文字が紙面から剥離して、プライバシー情報箇所が確実に消去できる。また、印刷文字が樹脂で固定されていない場合は、プライバシー情報箇所を確実に隠蔽することができるので、プライバシーを守ることができる。
【発明を実施するための最良の形態】
【０００７】
以下、本発明を詳細に説明する。
本発明では着色剤として、Ｃ．Ｉ．ＳＯＬＶＥＮＴ ＢＬＡＣＫ ５、Ｃ．Ｉ．ＳＯＬＶＥＮＴ ＢＬＡＣＫ ７、カーボンブラックなど黒色の染料や顔料を用いることができ、市販されているものとしては、スピリットブラックＳＢ、スピリットブラックＡＢ、ニグロシンベースＳＡ、ニグロシンベースＥＥ、ニグロシンベースＥＸ、ニグロシンベースＥＸ−ＢＰ、ＶＡＬＩＦＡＳＴ  ＢＬＡＣＫ  ３８２０等（以上、オリヱント化学工業社製）を用いることができる。本発明ではこの中から１種又は２種以上を混合して用いることができる。
また、インキの隠蔽力を高めるために、酸化チタンやアルミニウム粉末等の金属顔料を併用することもできる。
黒色着色剤を含む着色剤の合計量はインキ全量に対して、０．１〜５０重量％を用いることができ、１〜４０重量％が特に好ましい。
【０００８】
溶剤としては、グリコール系溶剤を用いることができ、エチレングリコール、プロピレングリコール、ブチレングリコール、ジエチレングリコール、トリエチレングリコール、ジプロピレングリコール、トリプロピレングリコール等のグリコール、エチレングリコールモノメチルエーテル、エチレングリコールジメチルエーテル、エチレングリコールモノエチルエーテル、エチレングリコールジエチルエーテル、３−メトキシ−１−ブタノール、エチレングリコールモノプロピルエーテル、エチレングリコールモノブチルエーテル、３−メチル−３−メトキシ−１−ブタノール、エチレングリコールモノフェニルエーテル、プロピレングリコールモノメチルエーテル、プロピレングリコールジメチルエーテル、プロピレングリコールモノエチルエーテル、プロピレングリコールジエチルエーテル、プロピレングリコールモノプロピルエーテル、プロピレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリエチレングリコールモノメチルエーテル、トリエチレングリコールモノエチルエーテル、トリプロピレングリコールモノメチルエーテル、トリプロピレングリコールモノエチルエーテル等のグリコールエーテルを例示することができる。
また、使用状況や環境等に適合させるため、メチルエチルケトン、メチルイソブチルケトン、シクロヘキサノン等のケトン系溶剤や、酢酸エチル、酢酸ブチル、酢酸アミル、乳酸メチル、乳酸エチル、乳酸ブチル等のエステル系溶剤を適当量配合することも可能である。
本発明インキに使用する際は、得られるインキが適当な粘度となるように上記の溶剤を単独または二種以上混合して用いることができ、その配合比はインキ組成中２０〜９９重量％、好ましくは４０〜８０重量％である。
【０００９】
また、本発明にはリモネンを必須構成要素とする。
リモネンは、柑橘系の香りがする水に不溶な物質であって、ｄ−リモネン及びｌ−リモネンが存在する。本発明ではどちらも使用することができるが、ｌ−リモネンは少し皮膚を刺激する作用があるので、どちらかというとｄ−リモネンの方が好ましい。リモネンは、インキ全量に対して０．１重量％〜５０重量％を用いることができ、１重量％〜４０重量％の範囲が特に好ましい結果を示す。
【００１０】
本発明は、目的を達成するため樹脂を不要とするが、オレイン酸、アルキルエーテルリン酸エステル、アルキルリン酸エステル、ポリオキシエチレンアルキルエーテルリン酸エステル等の染料溶解助剤、ポリオキシプロピレングリコール、グリセリンポリオキシプロピレントリオール、ポリ（オキシエチレンプロピレン）グリコールモノアルキルエーテル、グリセリド等の界面活性剤、ｐＨ調整剤、防腐防黴剤、防錆剤を適宜配合することを妨げるものではない。
【実施例】
【００１１】
以下に実施例により、本発明を更に具体的に説明するが、本発明はこの実施例によって限定されるものではない。
（実施例１）
Ｃ．Ｉ．ＳＯＬＶＥＮＴ ＢＬＡＣＫ ７                    ２０．０重量％
プロピレングリコールモノメチルエーテル                  ５５．０重量％
ｄ−リモネン                                            ２０．０重量％
ポリオキシエチレンアルキルエーテルリン酸エステル          ５．０重量％
以上の物質を混合し、黒色の油性インキを得た。
当該インキを多孔質ゴム製のスタンパーに充填し、ダイレクトメールの宛名部分に押印したところ、印刷文字が溶解する共に当該インキの黒色と混じり合って、文字が確実に消去隠蔽されて判読不可能となった。
【００１２】
（実施例２）
Ｃ．Ｉ．ＳＯＬＶＥＮＴ ＢＬＡＣＫ ５                    ２２．５重量％
ジプロピレングリコールモノメチルエーテル                ５０．０重量％
ｄ−リモネン                                            ２２．５重量％
ポリオキシエチレンアルキルエーテルリン酸エステル          ５．０重量％
以上の物質を混合し、黒色の油性インキを得た。
当該インキをインキ吸収体を内蔵するマーキングペンに充填し、ダイレクトメールの宛名部分に押印したところ、印刷文字が溶解する共に当該インキの黒色と混じり合って、文字が確実に消去隠蔽されて判読不可能となった。